(57)【要約】【課題】床下吹出型室内機の直下の内部空間の床面に容易に設置することができ、給気の風向を調整することができる風向ガイドユニットを提供する。【解決手段】風向ガイドユニット３０は、内部空間の床に設けられ、風道の枠を形成する枠部材３２と、枠部材３２の外周に着脱可能に複数取り付けられて風道を形成するパネル３４と、枠部材３２の上端３２ａ又は下端３２ｂの少なくとも一方に設けられ、垂直方向Ｚにおける枠部材３２の長さを調整する伸縮部材４８とを有する。そして、伸縮部材４８は、垂直方向Ｚにおける枠部材３２の長さを、床と二重床下面との間の長さより小さい寸法から、床と室内機の底面との間の長さより大きい寸法まで伸縮自在である。【選択図】図３
2016014489.tif 000002
【特許請求の範囲】
【請求項１】
二重床に設置され、この二重床の内部空間に向かって給気を吹き出す床下吹出型室内機の風向ガイドユニットにおいて、
床下吹出型室内機の直下の内部空間の床面に設けられ、風道の枠を形成する枠部材と、
枠部材の外周に着脱可能に複数取り付けられて風道を形成するパネルと、
枠部材の上端又は下端の少なくとも一方に設けられ、垂直方向における枠部材の長さを調整する伸縮部材と、
を有し、
少なくとも１つのパネルには、給気が内部空間に吹き出す開口が形成され、
伸縮部材は、垂直方向における枠部材の長さを、前記床面と二重床下面間の長さより小さい寸法から、前記床面と床下吹出型室内機の底面間の長さより大きい寸法まで伸縮自在である、
ことを特徴とする床下吹出型室内機の風向ガイドユニット。
【請求項２】
請求項１に記載の床下吹出型室内機の風向ガイドユニットにおいて、
パネルと床下吹出型室内機の底面間の隙間を塞ぐキャンバス継手を有する、
ことを特徴とする床下吹出型室内機の風向ガイドユニット。
【請求項３】
請求項１または２に記載の床下吹出型室内機の風向ガイドユニットにおいて、
パネルにスライド可能に設けられ、パネルと前記床面間の隙間を塞ぐスライドパネルを有する、
ことを特徴とする床下吹出型室内機の風向ガイドユニット。
【請求項４】
請求項１から３のいずれか１つに記載の床下吹出型室内機の風向ガイドユニットにおいて、
パネルの開口は、格子状のガラリである、
ことを特徴とする床下吹出型室内機の風向ガイドユニット。
【請求項５】
請求項１から３のいずれか１つに記載の床下吹出型室内機の風向ガイドユニットにおいて、
パネルの開口には、角度を変更して風向を調整可能なルーバーが設けられる、
ことを特徴とする床下吹出型室内機の風向ガイドユニット。
【請求項６】
請求項５に記載の床下吹出型室内機の風向ガイドユニットにおいて、
ルーバーは、水平ルーバーと垂直ルーバーの２段積み構成である、
ことを特徴とする床下吹出型室内機の風向ガイドユニット。
【請求項７】
請求項５または６に記載の床下吹出型室内機の風向ガイドユニットにおいて、
ルーバーに接続され、ルーバーの角度を遠隔から調整する駆動部を有する、
ことを特徴とする床下吹出型室内機の風向ガイドユニット。
【発明の詳細な説明】
【技術分野】
【０００１】
本発明は床下吹出型室内機の風向ガイドユニットに関する。
【背景技術】
【０００２】
従来から、電算機室などの二重床に設置され、この床下に向かって冷却した空気を給気として吹き出す床下吹出型室内機が知られている。
【０００３】
下記特許文献１には、電算機室に設けられた床下吹出型室内機が開示されている。以下、電算機室１１０の概略構成について図８を用いて説明する。図８において、電算機室１１０は、床１１２、壁及び天井（図示せず）により囲まれた空間である。床１１２から上方に離間して二重床１１４が設けられ、この二重床１１４にラック１１６が複数設置されている。これらラック１１６に挟まれて通路１１８が位置している。二重床１１４の下、すなわち床１１２と二重床１１４の間には空間が確保されている。以降、この空間を、二重床１１２の内部空間１２０と称する。この内部空間１２０には、各ラック１１６の電気及び通信ケーブル（図示せず）などが収容される。
【０００４】
また、電算機室１１０の壁側において、二重床１１４上に床下吹出型室内機１２２が設置されている。この室内機１２２は、電算機室１１０内の空気を吸込口１２４から吸い込んで冷却し、その冷却後の空気を給気として底面に設けられた吹出口１２６から内部空間１２０に向かって下向きに吹き出す。二重床１１４の一部には、床開口１２８が設けられており、床下吹出型室内機１２２から吹き出された給気が床開口１２８を通して二重床１１４上に送り出されるようになっている。各ラック１１６は、これの底面又は一方の側面から空気を取り込み、上面又は他方の側面に排気することで、内部発熱を処理している。
【０００５】
また、下記特許文献２には、排気ファンを有する室外機に取り付けられ、排気ファンから排出される排気の方向を任意の方向に調整する風向ガイドユニットが記載されている。
【先行技術文献】
【特許文献】
【０００６】
【特許文献１】特開２００６−０６４３０３号公報
【特許文献２】特開２００９−６３１８６号公報
【発明の概要】
【発明が解決しようとする課題】
【０００７】
床下吹出型室内機は、通常、二重床の内部空間へ垂直方向下側に向けて給気を吹き出す構成となっている。しかしながら、このような構成では、床下吹出型室内機から吹き出される給気が、内部空間において床面に当たってから拡散するので、圧力損失が高くなるとともに、内部空間における適切な風向の変更ができないという問題がある。このような問題を解決するために、床下吹出型室内機の直下の内部空間の床面に、ダクト等からなる風向ガイド部材を設置し、垂直方向下側に向かう給気を、水平方向又は所望の方向へと風向をガイドする例がある。
【０００８】
しかしながら、従来の風向ガイド部材では、ダクトの加工や床面への据付に手間がかかるという問題があった。また、従来の風向ガイド部材においては、床面に据付けた後に、風向を変更することができない。そこで、風向を変更するため、風向ガイド部材より下流側に新規に風向板などを設置する場合がある。しかしながら、この場合、特に電算機室の運用開始後においては、内部空間には多くのラック用ケーブルが既に配置されているので、風向板の設置スペースの確保と取付作業に手間がかかるという問題があった。
【０００９】
本発明の目的は、床下吹出型室内機の直下の内部空間の床面に容易に設置することができ、給気の風向を調整することができる床下吹出型室内機の風向ガイドユニットを提供することにある。
【課題を解決するための手段】
【００１０】
本発明は、二重床に設置され、この二重床の内部空間に向かって給気を吹き出す床下吹出型室内機の風向ガイドユニットにおいて、床下吹出型室内機の直下の内部空間の床面に設けられ、風道の枠を形成する枠部材と、枠部材の外周に着脱可能に複数取り付けられて風道を形成するパネルと、枠部材の上端又は下端の少なくとも一方に設けられ、垂直方向における枠部材の長さを調整する伸縮部材と、を有し、少なくとも１つのパネルには、給気が内部空間に吹き出す開口が形成され、伸縮部材は、垂直方向における枠部材の長さを、前記床面と二重床下面間の長さより小さい寸法から、前記床面と床下吹出型室内機の底面間の長さより大きい寸法まで伸縮自在であることを特徴とする。
【００１１】
また、パネルと床下吹出型室内機の底面間の隙間を塞ぐキャンバス継手を有することができる。
【００１２】
また、パネルにスライド可能に設けられ、パネルと前記床面間の隙間を塞ぐスライドパネルを有することができる。
【００１３】
また、パネルの開口は、格子状のガラリであることができる。
【００１４】
また、パネルの開口には、角度を変更して風向を調整可能なルーバーが設けられることができる。
【００１５】
また、ルーバーは、水平ルーバーと垂直ルーバーの２段積み構成であることができる。
【００１６】
また、ルーバーに接続され、ルーバーの角度を遠隔から調整する駆動部を有することができる。
【発明の効果】
【００１７】
本発明の床下吹出型室内機の風向ガイドユニットによれば、床下吹出型室内機の直下の内部空間の床面に容易に設置することができ、給気の風向を調整することができる。
【図面の簡単な説明】
【００１８】
【図１】本実施形態に係る電算機室の構成を示す図である。
【図２】本実施形態に係る床下吹出型室内機の風向ガイドユニットの構成を示す図である。
【図３】風向ガイドユニットの分解斜視図である。
【図４】風向ガイドユニットの設置状態を示す図である。
【図５】ルーバー付きパネルを示す図である。
【図６】駆動部に接続されたルーバー付きパネルを示す図である。
【図７】２段積みルーバー付きパネルを示す図である。
【図８】従来の電算機室の構成を示す図である。
【発明を実施するための形態】
【００１９】
以下、本発明に係る床下吹出型室内機の風向ガイドユニットの実施形態について、図を用いて説明する。一例として、電算機室に設置される床下吹出型室内機を挙げ、この床下吹出型室内機に使用される風向ガイドユニットについて説明する。なお、本発明は、上記のような電算機室用室内機に限らず、二重床に設置される床下吹出型室内機であれば、例えばサーバールーム用、データセンタ用及びクリーンルーム用室内機にも適用できる。
【００２０】
図１は、本実施形態に係る電算機室１０の構成を示す図である。なお、図１の符号１０〜２８は、従来技術を示す図８の１１０〜１２８の百の桁を除いて対応する構成要素と同様であるため、詳細な説明は省略する。
【００２１】
床下吹出型室内機（以降、単に「室内機」と記す）２２は、電算機室１０の二重床１４に設置される。室内機２２と室外機（図示せず）とにより冷房専用の空調機が構成される。室内機２２は、電算機室１０内の空気を吸い込む吸込口２４と、吸い込んだ空気を濾過するフィルタ（図示せず）と、濾過された空気を冷却する熱交換器（図示せず）と  冷却された空気を給気として送風するファン（図示せず）と、給気を内部空間２０に向かって吹き出す吹出口２６とを有する。吸込口２４は、図１に示されるように室内機２２の上面に設けられる。なお、本発明はこの構成に限定されず、吸込口２４が側面の上部に設けられても良い。一方、吹出口２６は、例えば２個であり、室内機２２の底面に形成される。吹出口２６から吹き出される給気は、内部空間２０へ下側に向けて吹き出される。
【００２２】
室内機２２の直下の内部空間２０には、風向ガイドユニット３０が設けられる。本実施形態の風向ガイドユニット３０は、図１に示されるように、２個設けられる。しかし、本発明はこの数２個に限定されず、吹出口２６の数に対応する個数を設けることができる。風向ガイドユニット３０は、吹出口２６を囲って風道を形成し、吹出口２６からの下側に向かう給気を、所望の方向へガイドする。以下、風向ガイドユニット３０の具体的構成について、図２から４を用いて説明する。
【００２３】
図２は、本実施形態に係る風向ガイドユニット３０の構成を示す図であり、図３は、風向ガイドユニット３０の分解斜視図であり、図４は、風向ガイドユニット３０の設置状態を示す図である。なお、これらの図中の矢印Ｚは、垂直（鉛直）方向を示す。
【００２４】
風向ガイドユニット３０は、風道の枠を形成する枠部材３２と、枠部材３２に着脱可能に取り付けられ、風道を形成するパネル３４と、垂直方向Ｚにおける枠部材３２の長さを調整する伸縮部材３６とを有する。本実施形態の風向ガイドユニット３０において形成される風道は、垂直方向Ｚから見ると矩形である。
【００２５】
枠部材３２は、室内機２２の直下の内部空間２０の床１２に設けられる。枠部材３２は、垂直方向に延びる柱状の柱部材３８と、水平方向に延びる梁状の梁部材４０とを有する。柱部材３８は４本あり、風向ガイドユニット３０が形成する風道の四隅にそれぞれ配置される。梁部材４０は、風道の四隅に配置された柱部材３８間をそれぞれ接続し、垂直方向Ｚから見ると矩形の一辺をそれぞれ形成する。本実施形態においては、図３に示されるように、梁部材４０を計８本設けているが、本発明はこの構成に限定されず、枠部材３２の強度に基づいて、８本より少なく、または多く設けても良い。
【００２６】
パネル３４は、枠部材３２の外周に着脱可能に複数取り付けられる。具体的には、パネル３４が、風向ガイドユニット３０の側面を形成するように、枠部材３２の外周に着脱可能に４枚取り付けられる。風向ガイドユニット３０の側面とは、垂直方向Ｚを含む面のことである。これにより、風向ガイドユニット３０において、垂直方向Ｚに延びる風道が形成される。なお、枠部材３２に対する各パネル３４の着脱方法は、周知の技術を用いることができ、例えばボルト・ナット、ビス、マグネットなどを利用することができる。また、本実施形態では、隣接するパネル３４の縁部において、コーナー補強部材４２が取り付けられる。コーナー補強部材４２は、例えばＬ型アングルの鋼材であり、ビスなどの締結部材により、パネル３４の固定を補強することができる。
【００２７】
枠部材３２に取り付けられる４枚のパネル３４のうち少なくとも１枚には、図２に示されるような開口４４が形成される。この開口４４から、室内機２２から風向ガイドユニット３０に供給された給気が内部空間２０に吹き出される。開口４４は、給気の風量に応じて任意の大きさに形成される。本実施形態の開口４４は、図２に示されるように格子状のガラリ４６である。パネル３４は枠部材３２に対して着脱可能であるので、風向ガイドユニット３０の設置後、電算機室１０の運用状況に応じて、開口４４が形成されているパネル３４と、開口４４が形成されていないパネル３４とを適宜交換することができる。
【００２８】
伸縮部材３６は、枠部材３２の上端３２ａと下端３２ｂにそれぞれ設けられ、垂直方向Ｚにおける枠部材３２の長さを調整する。本実施形態における伸縮部材３６の構造は、中空の柱部材３８と、柱部材３８の内側にスライド自在に収納されるスライド部材４８と、柱部材３８とスライド部材４８を固定するネジなどの固定部材（図示せず）とから構成される。伸縮部材３６は、柱部材３８の内側からスライド部材４８を突出する長さを調整することで、垂直方向Ｚにおける枠部材３２の長さを調整することができる。
【００２９】
伸縮部材３６は、垂直方向Ｚにおける枠部材３２の長さを、床１２と二重床１４の下面との間の長さより小さい寸法から、床１２と室内機２２の底面と間の長さより大きい寸法まで伸縮自在に構成される。風向ガイドユニット３０の据付作業時に、枠部材３２の長さを、床１２と二重床１４の下面との間の長さより小さくすることで、内部空間２０内において風向ガイドユニット３０を設置場所まで容易に移動させることができる。そして、設置場所において、枠部材３２の長さを、床１２と室内機２２の底面と間の長さより大きくすることで、柱部材３８が圧縮されるので、枠部材３２が床１２と室内機２２の間で突っ張る状態になり、風向ガイドユニット３０を容易に床１２に固定することができる。この構成により、風向ガイドユニット３０の移動と設置が容易になり、作業の手間を省くことができる。
【００３０】
また、風向ガイドユニット３０は、パネル３４と室内機２２の底面との間の隙間を塞ぐキャンバス継手５０と、パネル３４と床１２との間の隙間を塞ぐスライドパネル５２を有する。この構成により、これらの隙間から給気が漏れてしまうことを防止することができる。または、この構成により、室内機２２の停止時に、これらの隙間から内部空間２０の空気が室内機２２内へと逆流してしまうことを防ぐことができる。
【００３１】
キャンバス継手５０は、綿布や化繊布製などの可撓性の材質からなる。キャンバス継手５０は、室内機２２の底面に対して取付部材（図示せず）を介して取り付けられる。取付部材は、例えばボルト・ナット、ビス、マグネットである。キャンバス継手５０は、室内機２２と風向ガイドユニット３０を接続するとき、寸法の狂いを吸収することができる。また、キャンバス継手５０は、伸縮部材３６の伸縮に応じて垂直方向Ｚの長さを調整できる。また、キャンバス継手５０は、室内機２０の振動が風向ガイドユニット３０に伝達することを防止することができる。
【００３２】
スライドパネル５２は、各パネル３４の下部にスライド可能にそれぞれ設けられる。図３に示されるように、パネル３４の内面にはガイドレール５４が設けられ、このガイドレール５４に沿ってスライドパネル５２が垂直方向Ｚに移動することができる。スライドパネル５２は、伸縮部材３６の伸縮に応じて垂直方向Ｚの長さを調整できる。
【００３３】
また、風向ガイドユニット３０は、枠部材３２の下端３２ｂにキャスタ５６を設けることができる。これにより、内部空間２０内において風向ガイドユニット３０を設置場所までスムーズに移動させることができる。
【００３４】
本実施形態においては、パネル３４の開口４４が格子状のガラリ４６である場合について説明したが、本発明はこの構成に限定されない。以下、その他の開口４４の形態について、図５から７を用いて説明する。なお、図５から７においては、開口４４が閉じた状態である。室内機２２の停止時に、開口４４を閉じた状態にすることで、内部空間２０の空気が開口４４を通って室内機２２内へと逆流してしまうことを防ぐ。
【００３５】
図５は、ルーバー５８付きパネル３４を示す図である。図５に示されるように、開口４４には、角度を変更して風向を調整可能な複数のルーバー５８が設けられる。ルーバー５８は、水平方向に延びる軸（図示せず）に支持され、この軸を中心に回動可能である。ルーバー５８を回動させることで、縦方向に風向を調整することができる。なお、本発明はこの構成に限定されず、垂直方向Ｚに延びる軸に支持されたルーバー５８を設けることもできる。この構成により、横方向に風向を調整することができる。また、全てのルーバー５８をまとめて回動させる機構であってもよく、個別のルーバー５８をそれぞれ回動させる機構を採用しても良い。
【００３６】
図６は、駆動部６２に接続されたルーバー５８付きパネル３４を示す図である。図６に示されるように、開口４４には、角度を変更して風向を調整可能な複数のルーバー５８が設けられる。ルーバー５８は、水平方向に延びる軸６０を介して駆動部６２に接続される。駆動部６２の動作により、ルーバー５８は軸６０を中心に回動可能である。ルーバー５８の回動により、縦方向に風向を調整することができる。なお、本発明はこの構成に限定されず、垂直方向Ｚに延びる軸に支持されたルーバー５８を設けることもできる。この構成により、横方向に風向を調整することができる。本実施形態の駆動部６２は、個々のルーバー５８をそれぞれ回動させるように、各ルーバー５８に対応させて設けられているが、本発明はこの構成に限定されず、１つの駆動部で全てのルーバー５８をまとめて回動させる構成であってもよい。また、本実施形態の駆動部６２は、遠隔からの制御信号により駆動可能である。しかし、本発明はこの構成に限定されず、風向ガイドユニット３０に設けられた操作部（図示せず）により駆動してもよい。
【００３７】
図７は、２段積みルーバー５８付きパネル３４を示す図である。図７に示されるように、開口４４には、水平方向の軸６０を中心に回動可能なルーバー５８と、垂直方向Ｚの軸６０を中心に回動可能なルーバー５８とからなる２段積み構成になっている。このような構成にすることにより、縦および横方向に風向を任意に調整することができる。また、この図７のルーバー５８においても、駆動部６２が接続されている。しかし、本発明はこの構成に限定されず、手動によりルーバー５８を回動させる構成としてもよい。
【００３８】
本実施形態においては、伸縮部材３６が枠部材３２の上端３２ａと下端３２ｂにそれぞれ設けられる場合ついて説明したが、本発明はこの構成に限定されない。垂直方向Ｚにおける枠部材３２の長さを、床１２と二重床１４の下面との間の長さより小さい寸法から、床１２と室内機２２の底面と間の長さより大きい寸法まで伸縮させることができるのであれば、伸縮部材３６を枠部材３２の上端３２ａと下端３２ｂのいずれかに一方に設けても良い。また、風向ガイドユニット３０が、伸縮部材３６による突っ張り作用により固定される場合について説明したが、さらに確実な固定を図るため、キャスタ５６にストッパ機能を設けてもよい。
【符号の説明】
【００３９】
１０  電算機室、１２  床、１４  二重床、１６  ラック、１８  通路、２０  内部空間、２２  床下吹出型室内機、２４  吸込口、２６  吹出口、２８  床開口、３０  風向ガイドユニット、３２  枠部材、３４  パネル、３６  伸縮部材、３８  柱部材、４０  梁部材、４２  コーナー補強部材、４４  開口、４６  格子状のガラリ、４８  スライド部材、５０  キャンバス継手、５２  スライドパネル、５４  ガイドレール、５６  キャスタ、５８  ルーバー、６０  軸、６２  駆動部。
【図１】
2016014489.tif 000003
【図２】
2016014489.tif 000004
【図３】
2016014489.tif 000005
【図４】
2016014489.tif 000006
【図５】
2016014489.tif 000007
【図６】
2016014489.tif 000008
【図７】
2016014489.tif 000009
【図８】
2016014489.tif 000010